(57)【要約】【課題】一方の読取部が画像を読み取れない場合に、他方の読取部で画像を読み取って、ユーザーの利便性を向上させることができる画像読み込み装置を提供する。【解決手段】画像読み込み装置１０は、原稿Ｒを搬送する原稿搬送部１０ｂと、原稿Ｒから画像を読み取る原稿読取部１０ａと、原稿搬送部１０ｂ及び原稿読取部１０ａを制御する制御部９とを備える。原稿読取部１０ａは、原稿Ｒの表面に形成された画像を読み取る第１読取部１２と、原稿Ｒの裏面に形成された画像を読み取る第２読取部１９とを有する。制御部９は、第１読取部１２及び第２読取部１９が画像を読み取れるか否かを判定する。制御部９は、第１読取部１２及び第２読取部１９のうち、いずれか一方の読取部が画像を読み取れないと判定した場合に、他方の読取部が画像を読み取るように、原稿読取部１０ａを制御する。【選択図】図２
2018182680.tif 000002
【特許請求の範囲】
【請求項１】
原稿を搬送経路に沿って搬送する原稿搬送部と、
前記原稿搬送部によって搬送される前記原稿から画像を読み取る原稿読取部と、
前記原稿搬送部及び前記原稿読取部を制御する制御部と
を備え、
前記原稿読取部は、
前記原稿の表面に形成された画像を読み取る第１読取部と、
前記原稿の裏面に形成された画像を読み取る第２読取部と
を有し、
前記制御部は、
前記第１読取部及び前記第２読取部が前記画像を読み取れるか否かを判定し、
前記第１読取部及び前記第２読取部のうち、いずれか一方の読取部が前記画像を読み取れないと判定した場合に、他方の読取部が前記画像を読み取るように、前記原稿読取部を制御する、画像読み込み装置。
【請求項２】
画面を表示する表示部を更に備え、
前記制御部は、前記一方の読取部が前記画像を読み取れないと判定した場合に、前記画面を表示するように、前記表示部を制御し、
前記画面は、前記一方の読取部が前記画像を読み取れず、前記他方の読取部が前記画像を読み取れることを示す、請求項１に記載の画像読み込み装置。
【請求項３】
前記画像読み込み装置の外部の気温を検出して、前記気温を示す第１温度情報を生成する第１検出部と、
前記第１読取部の近傍の温度を検出して、前記第１読取部の近傍の温度を示す第２温度情報を生成する第２検出部と、
前記第２読取部の近傍の温度を検出して、前記第２読取部の近傍の温度を示す第３温度情報を生成する第３検出部と、
前記画像読み込み装置の外部の湿度を測定して、前記湿度を示す湿度情報を生成する湿度測定部と
を更に備え、
前記制御部は、
前記第１温度情報と前記第２温度情報と前記湿度情報とに基づいて、前記第１読取部が前記画像を読み取れるか否かを判定し、
前記第１温度情報と前記第３温度情報と前記湿度情報とに基づいて、前記第２読取部が前記画像を読み取れるか否かを判定する、請求項１又は請求項２に記載の画像読み込み装置。
【請求項４】
前記第１読取部は、光を出射する第１光源を有し、
前記第２読取部は、光を出射する第２光源を有し、
前記制御部は、
前記第１読取部が前記画像を読み取れないと判定した場合に、前記第１光源から光を出射するように、前記第１読取部を制御し、
前記第２読取部が前記画像を読み取れないと判定した場合に、前記第２光源から光を出射するように、前記第２読取部を制御する、請求項３に記載の画像読み込み装置。
【請求項５】
請求項１から請求項４のうちいずれか１項に記載の画像読み込み装置と、
記録媒体に前記画像を形成する画像形成部と
を備える、画像形成装置。
【発明の詳細な説明】
【技術分野】
【０００１】
本発明は、画像読み込み装置、及び画像形成装置に関する。
【背景技術】
【０００２】
特許文献１に記載の画像形成装置は、原稿給送部と、画像読取部とを備える。原稿給送部は、原稿載置トレイから原稿読取位置を介して原稿排出トレイまで原稿を搬送する。画像読取部は、第１読取位置と、第２読取位置との間で移動する。画像読取部は、第１読取位置において、原稿読取位置を通過する原稿の表面から画像を読み取る。画像読取部は、第１読取位置から第２読取位置に移動する間に、コンタクトガラス上の原稿から画像を読み取る。画像読取部は、光源部と、受光部とを有する。光源部は、原稿に向かって光を照射する。受光部は、原稿で反射した反射光を受光して、原稿に形成された画像を示す画像データを生成する。特許文献１に記載の画像形成装置では、スリープモード時に、光源から光を出射して、画像形成装置内の温度低下を抑制する。この結果、画像読取部に結露が生じることが抑制される。
【先行技術文献】
【特許文献】
【０００３】
【特許文献１】特開２０１３−１９７７４２号公報
【発明の概要】
【発明が解決しようとする課題】
【０００４】
しかしながら、特許文献１に記載の画像読み込み装置（画像読取部）は、原稿搬送部（原稿給送部）によって搬送される原稿の裏面から画像を読み取る第２読取部を有しておらず、第１読取部（画像読取部）と第２読取部とのうち、いずれか一方の読取部が画像を読み取れない場合の対応については改善の余地がある。なお、読取部は、例えば、結露が生じた場合に、画像を読み取ることができない。
【０００５】
本発明は上記課題に鑑みてなされたものであり、その目的は、一方の読取部が画像を読み取れない場合に、他方の読取部で画像を読み取って、ユーザーの利便性を向上させることができる画像読み込み装置、及び画像形成装置を提供することにある。
【課題を解決するための手段】
【０００６】
本発明に係る画像読み込み装置は、原稿搬送部と、原稿読取部と、制御部とを備える。前記原稿搬送部は、原稿を搬送経路に沿って搬送する。前記原稿読取部は、前記原稿搬送部によって搬送される前記原稿から画像を読み取る。前記制御部は、前記原稿搬送部及び前記原稿読取部を制御する。前記原稿読取部は、第１読取部と、第２読取部とを有する。前記第１読取部は、前記原稿の表面に形成された画像を読み取る。前記第２読取部は、前記原稿の裏面に形成された画像を読み取る。前記制御部は、前記第１読取部及び前記第２読取部が前記画像を読み取れるか否かを判定する。前記制御部は、前記第１読取部及び前記第２読取部のうち、いずれか一方の読取部が前記画像を読み取れないと判定した場合に、他方の読取部が前記画像を読み取るように、前記原稿読取部を制御する。
【０００７】
本発明に係る画像形成装置は、上記画像読み込み装置と、記録媒体に前記画像を形成する画像形成部とを備える。
【発明の効果】
【０００８】
本発明の画像読み込み装置、及び画像形成装置によれば、一方の読取部が画像を読み取れない場合に、他方の読取部で画像を読み取って、ユーザーの利便性を向上させることができる。
【図面の簡単な説明】
【０００９】
【図１】本発明の実施形態に係る画像形成装置の構成を示す図である。
【図２】本発明の実施形態に係る画像読み込み装置の構成を示す図である。
【図３】本発明の実施形態に係る画像形成装置を示すブロック図である。
【図４】本発明の実施形態に係る制御部による操作パネル及び画像読み込み装置の制御を示すフローチャートである。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
図１を参照して、本発明の実施形態に係る画像形成装置１について説明する。図１は、本発明の実施形態に係る画像形成装置１の構成を示す図である。図１に示すように、本実施形態の画像形成装置１は、複合機である。複合機は、例えば、コピー機能、プリンター機能、及びファクシミリ機能のうち少なくとも２つの機能を有する。なお、画像形成装置１は、複写機、又はファクシミリ機であってもよい。
【００１２】
画像形成装置１は、用紙Ｓに画像を形成する。用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１３】
画像形成装置１は、筐体２と、給紙部３と、画像形成部４と、定着部５と、排出トレイ６と、操作パネル８と、制御部９と、画像読み込み装置１０とを備える。
【００１４】
筐体２は、箱状に形成される。筐体２は、給紙部３と、画像形成部４と、定着部５と、制御部９とを内部に収容する。
【００１５】
画像読み込み装置１０は、筐体２の上方に配置される。画像読み込み装置１０は、原稿読取部１０ａと、原稿搬送部１０ｂと、原稿載置トレイ１６とを備える。原稿載置トレイ１６には、少なくとも１枚の原稿を含む原稿束が載置され得る。原稿搬送部１０ｂは、原稿載置トレイ１６に載置された原稿束の最も上の原稿を原稿読取部１０ａに向かって順次搬送する。
【００１６】
原稿読取部１０ａは、原稿搬送部１０ｂによって搬送される原稿の表面から画像を読み取って画像データを生成する。また、原稿読取部１０ａは、載置台に載置された原稿の画像を読み取って画像データを生成する。載置台は、原稿読取部１０ａの上面部に配置される。原稿読取部１０ａは、画像データを制御部９に出力する。
【００１７】
操作パネル８は、原稿読取部１０ａの表面部に配置される。操作パネル８は、例えば、ディスプレーを含む。ディスプレーは、各種の画面を表示する。また、操作パネル８は、タッチパネル機能を有する。操作パネル８は、使用者の操作に応じた操作信号を制御部９に出力する。使用者の操作は、例えば、画像形成装置１の各種設定を行う操作を含む。
【００１８】
給紙部３は、複数の給紙カセット３１を有する。給紙カセット３１は、筐体２の下部に配置される。各給紙カセット３１は、筐体２から着脱可能である。また、給紙カセット３１は、複数の用紙Ｓを収容し得る。給紙部３は、用紙Ｓの搬送経路を介して画像形成部４に用紙Ｓを供給する。
【００１９】
画像形成部４は、用紙Ｓの搬送経路において、給紙部３よりも下流側に配置される。画像形成部４は、用紙Ｓに画像を形成する。本実施形態において、画像形成部４は、用紙Ｓにトナー画像を形成する。画像形成部４は、像担持体４１と、帯電部４２と、露光部４３と、現像部４４と、転写部４５とを有する。
【００２０】
帯電部４２は、像担持体４１を所定電位に帯電する。露光部４３は、帯電された像担持体４１の外周面にレーザーを照射して静電潜像を形成する。現像部４４は、トナーを供給して静電潜像をトナー画像として現像する。転写部４５は、像担持体４１とともにニップ部を形成する。ニップ部を通過する用紙Ｓには、像担持体４１からトナー画像が転写される。
【００２１】
定着部５は、用紙Ｓの搬送経路において、画像形成部４よりも下流側に配置される。定着部５は、加熱部材５１と、加圧部材５２とを有する。加熱部材５１は、トナー画像が転写された用紙Ｓを加熱する。加圧部材５２は、トナー画像が転写された用紙Ｓを加熱部材５１とともに加圧する。具体的には、加圧部材５２は、加熱部材５１とともに定着ニップ部を形成する。用紙Ｓが定着ニップ部を通過することにより、用紙Ｓにトナー画像が定着する。排出トレイ６には、トナー画像が定着した用紙Ｓが積載される。
【００２２】
制御部９は、例えば、プロセッサーと、記憶部とを有する。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、記憶部に記憶されたコンピュータープログラムに基づいて、給紙部３と、画像形成部４と、定着部５と、操作パネル８と、画像読み込み装置１０とを制御する。
【００２３】
次に、図２を参照して、画像読み込み装置１０の構成について更に説明する。図２は、画像読み込み装置１０の構成を示す図である。図２に示すように、画像読み込み装置１０は、原稿読取部１０ａと原稿搬送部１０ｂとに加えて、第２読取部１９と、第１検出部７ａと、第２検出部７ｂと、第３検出部７ｃとを更に備える。
【００２４】
原稿読取部１０ａは、載置台１１と、第１読取部１２とを有する。載置台１１は、第１副コンタクトガラス１１ａと、主コンタクトガラス１１ｂと、仕切り板１１ｃとを有する。
【００２５】
第１副コンタクトガラス１１ａ及び主コンタクトガラス１１ｂは、透明な板状のガラスから形成される。仕切り板１１ｃは、第１副コンタクトガラス１１ａと主コンタクトガラス１１ｂとの間に配置される。なお、第１副コンタクトガラス１１ａと主コンタクトガラス１１ｂとは、一体に形成されてもよい。この場合に、１枚のコンタクトガラスは、仕切り板１１ｃによって、第１副コンタクトガラス１１ａと主コンタクトガラス１１ｂとに区分される。
【００２６】
第１読取部１２は、載置台１１の下方に配置される。第１読取部１２は、第１副コンタクトガラス１１ａを介して、原稿Ｒの表面に形成された画像を読み取って画像データを生成する。また、第１読取部１２は、主コンタクトガラス１１ｂに載置された原稿Ｒから画像を読み取って画像データを生成する。第１読取部１２は、図１を参照して説明した制御部９に画像データを出力する。
【００２７】
第１読取部１２は、走査部１２ａと、案内部１２ｂとを有する。走査部１２ａは、例えば、ＣＩＳ（Ｃｏｎｔａｃｔ  Ｉｍａｇｅ  Ｓｅｎｓｏｒ）ユニットと、キャリッジとを有する。ＣＩＳユニットは、ＬＥＤ（Ｌｉｇｈｔ  Ｅｍｉｔｔｉｎｇ  Ｄｉｏｄｅ）１２ｃ、結像レンズ及びイメージセンサーを有する。ＬＥＤ１２ｃは、本発明の第１光源の一例である。キャリッジは、ＣＩＳユニットを支持する。案内部１２ｂは、副走査方向に延びる。案内部１２ｂは、キャリッジを副走査方向に移動可能に支持する。
【００２８】
第２読取部１９は、搬送経路に沿って配置される。搬送経路は、原稿搬送部１０ｂによって原稿が搬送される経路である。第２読取部１９は、原稿Ｒの裏面に形成された画像を読み取って画像データを生成する。第２読取部１９は、制御部９に画像データを出力する。
【００２９】
第２読取部１９は、第２副コンタクトガラス１９ａと、ＣＩＳユニット１９ｂとを有する。ＣＩＳユニット１９ｂは、ＬＥＤ１９ｃ、結像レンズ及びイメージセンサーを有する。ＬＥＤ１９ｃは、本発明の第２光源の一例である。ＣＩＳユニット１９ｂは、第２副コンタクトガラス１９ａを介して、原稿Ｒの裏面に形成された画像を読み取る。
【００３０】
第１検出部７ａは、画像読み込み装置１０の外部の温度を測定し、画像読み込み装置１０の外部の温度を示す第１温度情報を生成する。第１検出部７ａは、第１温度情報を制御部９に出力する。第１検出部７ａは、例えば、温度の変化に応じて抵抗値が変化するサーミスターのような温度センサーである。
【００３１】
第２検出部７ｂは、第１読取部１２の近傍の温度を測定し、第１読取部１２の近傍の温度を示す第２温度情報を生成する。第２検出部７ｂは、第２温度情報を制御部９に出力する。第２検出部７ｂは、第１検出部７ａと同様に、例えば、温度センサーである。
【００３２】
第３検出部７ｃは、第２読取部１９の近傍の温度を測定し、第２読取部１９の近傍の温度を示す第３温度情報を生成する。第３検出部７ｃは、第３温度情報を制御部９に出力する。第３検出部７ｃは、第１検出部７と同様に、例えば、温度センサーである。
【００３３】
本実施形態において、画像読み込み装置１０は、湿度測定部７ｄを更に備える。湿度測定部７ｄは、画像読み込み装置１０の外部の湿度を測定し、画像読み込み装置１０の外部の湿度を示す湿度情報を生成する。湿度測定部７ｄは、湿度情報を制御部９に出力する。湿度測定部７ｄは、例えば、湿度の変化に応じて抵抗値が変化する高分子膜を用いた湿度センサーである。
【００３４】
原稿搬送部１０ｂは、原稿載置トレイ１６に加えて、ピックアップローラー１７ａと、白基準ローラー１７ｂと、原稿排出トレイ１８と、複数の搬送ローラー対とを更に有する。
【００３５】
原稿載置トレイ１６は、トレイ本体部１６ａと、昇降部１６ｂとを有する。トレイ本体部１６ａ及び昇降部１６ｂには、少なくとも１枚のシート状の原稿Ｒを含む原稿束Ｒ１が載置される。昇降部１６ｂは、上下方向に沿って移動する。昇降部１６ｂは、原稿載置トレイ１６に原稿束Ｒ１が載置された際に上昇する。この結果、原稿束Ｒ１の先端側の端部が上昇して、ピックアップローラー１７ａに当接する。
【００３６】
ピックアップローラー１７ａは、原稿載置トレイ１６の上方に配置される。詳しくは、昇降部１６ｂの上方に配置される。ピックアップローラー１７ａは、原稿束Ｒ１の上面に当接して回転することによって、原稿束Ｒ１の最も上に位置する原稿Ｒを搬送経路の下流側に向かって送出する。詳しくは、ピックアップローラー１７ａは、原稿束Ｒ１から１枚の原稿Ｒを送出し、予め設定された時間が経過した後に、原稿束Ｒ１から次の原稿Ｒを送出する。
【００３７】
白基準ローラー１７ｂは、原稿Ｒの搬送経路を介して第２読取部１９と対向する。白基準ローラー１７ｂは、原稿Ｒを搬送経路に沿って搬送する。また、白基準ローラー１７ｂは、第２読取部１９の白基準の調整に用いられる。原稿搬送部１０ｂの複数の搬送ローラー対は、ピックアップローラー１７ａ及び白基準ローラー１７ｂによって搬送される原稿Ｒを、第１副コンタクトガラス１１ａを介して原稿排出トレイ１８まで搬送する。原稿排出トレイ１８には、搬送経路に沿って搬送された原稿Ｒが順次積載される。
【００３８】
次に、図１〜図３を参照して、制御部９について更に説明する。図３は、画像形成装置１を模式的に示すブロック図である。
【００３９】
制御部９は、例えば、画像形成装置１が電源ＯＦＦ状態から電源ＯＮ状態に遷移した際に、第１読取部１２が画像を読み取れるか否かを判定する。詳しくは、制御部９は、第１温度と第２温度とを比較する。第１温度は、第１温度情報が示す画像読み込み装置１０の外部の温度である。第２温度は、第２温度情報が示す第１読取部１２の近傍の温度である。制御部９は、第１温度と第２温度との差が閾値以上の場合に、第１読取部１２に結露が生じたために、第１読取部１２が画像を読み取れないと判定する。
【００４０】
閾値は、例えば、第１検出部７ａによって検出される外部の温度が１０℃であり、露点温度が３℃である場合に、７℃である。露点温度は、例えば、第１温度と湿度情報とに基づいて、制御部９によって算出される。
【００４１】
また、制御部９は、例えば、画像形成装置１が電源ＯＦＦ状態から電源ＯＮ状態に遷移した際に、第２読取部１９が画像を読み取れるか否かを判定する。詳しくは、制御部９は、第１温度と第３温度とを比較する。第３温度は、第３温度情報が示す第２読取部１９の近傍の温度である。制御部９は、第１温度と第３温度との差が閾値以上の場合に、第２読取部１９に結露が生じたために、第２読取部１９が画像を読み取れないと判定する。
【００４２】
制御部９は、第１読取部１２及び第２読取部１９が画像を読み取れないと判定した場合に、第１画面を表示するように、操作パネル８を制御する。第１画面は、例えば、第１読取部１２及び第２読取部１９に結露が生じていること、及び画像読み込み装置１０を用いて原稿Ｒから画像の読み取りができないことを示す。
【００４３】
また、制御部９は、第１読取部１２及び第２読取部１９が画像を読み取れないと判定した場合に、第１読取部１２及び第２読取部１９の結露除去作業を開始する。制御部９は、第１読取部１２及び第２読取部１９の結露の除去が完了したと判断した際に、第１画面の表示を停止するように、操作パネル８を制御する。また、制御部９は、第１画面の表示を停止する際に、結露が解消したことをユーザーに報知するように、操作パネル８を制御する。
【００４４】
制御部９は、第１読取部１２の結露除去作業において、ＬＥＤ１２ｃが光を出射するように、第１読取部１２を制御する。この結果、ＬＥＤ１２ｃが発光する際の放熱によって、第１読取部１２の近傍の温度が上昇して、第１読取部１２に生じた結露が除去される。
【００４５】
制御部９は、第２読取部１９の結露除去作業において、ＬＥＤ１９ｃが発光するように、第２読取部１９を制御する。この結果、ＬＥＤ１９ｃが発光する際の放熱によって、第２読取部１９の近傍の温度が上昇して、第２読取部１９から結露が除去される。
【００４６】
制御部９は、第１読取部１２と第２読取部１９とのうち、第１読取部１２のみが画像を読み取れないと判定した場合に、第２画面を表示するように、操作パネル８を制御する。第２画面は、例えば、第１読取部１２に結露が生じていること、及び画像読み込み装置１０により原稿Ｒの裏面から画像を読み取れるが、原稿Ｒの表面から画像を読み取れないことを示す。この場合に、制御部９は、原稿載置トレイ１６に原稿束Ｒ１が載置されて、原稿Ｒの読み取りを開始する操作信号が入力されると、第２読取部１９によって原稿Ｒの裏面から画像を読み取るように、画像読み込み装置１０を制御する。
【００４７】
また、制御部９は、第１読取部１２と第２読取部１９とのうち、第１読取部１２のみが画像を読み取れないと判定した後に、原稿Ｒの両面からの画像の読み取りを開始する操作信号が入力されると、第２読取部１９によって原稿Ｒの裏面から画像を読み取るように、画像読み込み装置１０を制御する。制御部９は、原稿Ｒの裏面から画像を読み取った後に、指示画面を表示するように、操作パネル８を制御する。指示画面は、原稿排出トレイ１８に排出された原稿Ｒ（原稿束Ｒ１）をそのままの状態で原稿載置トレイ１６に載置するようにユーザーに指示する。制御部９は、原稿Ｒが原稿載置トレイ１６に載置された後に、第２読取部１９によって原稿Ｒの表面から画像を読み取るように、画像読み込み装置１０を制御する。この場合に、制御部９は、読み取った原稿Ｒの表面の画像と原稿Ｒの裏面の画像とを正しい並び順に編集して画像データを生成する。
【００４８】
制御部９は、第１読取部１２と第２読取部１９とのうち、第２読取部１９のみが画像を読み取れないと判定した場合に、第３画面を表示するように、操作パネル８を制御する。第３画面は、例えば、第２読取部１９に結露が生じていること、及び画像読み込み装置１０により原稿Ｒの表面から画像を読み取れるが、が原稿Ｒの裏面から画像を読み取れないことを示す。この場合に、制御部９は、原稿載置トレイ１６に原稿束Ｒ１が載置されて、原稿Ｒの読み取りを開始する操作信号が入力されると、第１読取部１２によって原稿Ｒの表面から画像を読み取るように、画像読み込み装置１０を制御する。
【００４９】
また、制御部９は、第１読取部１２と第２読取部１９とのうち、第２読取部１９のみが画像を読み取れないと判定した後に、原稿Ｒの両面からの画像の読み取りを開始する操作信号が入力されると、第１読取部１２によって原稿Ｒの表面から画像を読み取るように、画像読み込み装置１０を制御する。制御部９は、原稿Ｒの表面から画像を読み取った後に、指示画面を表示するように、操作パネル８を制御する。指示画面は、原稿排出トレイ１８に排出された原稿Ｒ（原稿束Ｒ１）をそのままの状態で原稿載置トレイ１６に載置するようにユーザーに指示する。制御部９は、原稿Ｒが原稿載置トレイ１６に載置された後に、第１読取部１２によって原稿Ｒの裏面から画像を読み取るように、画像読み込み装置１０を制御する。この場合に、制御部９は、読み取った原稿Ｒの表面の画像と原稿Ｒの裏面の画像とを正しい並び順に編集して画像データを生成する。
【００５０】
本実施形態の画像形成装置１では、第１読取部１２及び第２読取部１９のうち、いずれか一方の読取部が画像を読み取れないと判定した場合に、他方の読取部が画像を読み取るように、画像読み込み装置１０が制御される。この結果、ユーザーは、一方の読取部が画像を読み取れない場合であっても、他方の読取部に画像を読み取らせることができる。したがって、本実施形態の画像形成装置１では、ユーザーの利便性を向上させることができる。
【００５１】
制御部９は、第１読取部１２と第２読取部１９とのうち、第１読取部１２のみが画像を読み取れないと判定した場合に、第１読取部１２の結露除去作業を開始する。制御部９は、第１読取部１２の結露の除去が完了したと判断した際に、第２画面の表示を停止するように、操作パネル８を制御する。また、制御部９は、第２画面の表示を停止する際に、結露が解消したことをユーザーに報知するように、操作パネル８を制御する。
【００５２】
制御部９は、第１読取部１２と第２読取部１９とのうち、第２読取部１９のみが画像を読み取れないと判定した場合に、第２読取部１９の結露除去作業を開始する。制御部９は、第２読取部１９の結露の除去が完了したと判断した際に、第３画面の表示を停止するように、操作パネル８を制御する。また、制御部９は、第３画面の表示を停止する際に、結露が解消したことをユーザーに報知するように、操作パネル８を制御する。
【００５３】
本実施形態の画像形成装置１では、第１読取部１２及び／又は第２読取部１９の結露の除去が完了した際に、結露が解消したことがユーザーに報知される。この結果、ユーザーは、結露が解消した際に、原稿Ｒの読み込みを迅速に開始でき、ユーザーの利便性をより一層向上させることができる。
【００５４】
次に、図１から図４を参照して、制御部９による操作パネル８及び画像読み込み装置１０の制御について更に説明する。図４は、制御部９による操作パネル８及び画像読み込み装置１０の制御を示すフローチャートである。制御部９は、画像形成装置１が電源ＯＦＦ状態から電源ＯＮ状態に遷移すると、図４に示す操作パネル８及び画像読み込み装置１０の制御を開始する。詳しくは、制御部９は、画像形成装置１が電源ＯＦＦ状態から電源ＯＮ状態に遷移すると、結露発生判別処理を開始する。
【００５５】
図４に示すように、制御部９は、ステップＳ１０において、第１温度情報と第２温度情報と湿度情報とに基づいて、第１読取部１２が画像を読み取れるか否かを判定する。制御部９は、第１読取部１２が画像を読み取れないと判定した場合に（ステップＳ１０のＮｏ）、ステップＳ２０において、第１温度情報と第３温度情報と湿度情報とに基づいて、第２読取部１９が画像を読み取れるか否かを判定する。
【００５６】
制御部９は、第２読取部１９が画像を読み取れないと判定した場合に（ステップＳ２０のＮｏ）、ステップＳ３０において、第１画面を表示するように、操作パネル８を制御する。制御部９は、第１画面を表示させた後に、ステップＳ４０において、第１読取部１２及び第２読取部１９の結露除去作業を開始するように、画像読み込み装置１０を制御する。制御部９は、結露発生判別処理をステップＳ１０に戻す。
【００５７】
制御部９は、第２読取部１９が画像を読み取れると判定した場合に（ステップＳ２０のＹｅｓ）、ステップＳ５０において、第２画面を表示するように、操作パネル８を制御する。制御部９は、第２画面を表示させた後に、ステップＳ６０において、第１読取部１２の結露除去作業を開始するように、画像読み込み装置１０を制御する。制御部９は、結露発生判別処理をステップＳ１０に戻す。
【００５８】
制御部９は、第１読取部１２が画像を読み取れると判定した場合に（ステップＳ１０のＹｅｓ）、ステップＳ７０において、第１温度情報と第３温度情報と湿度情報とに基づいて、第２読取部１９が画像を読み取れるか否かを判定する。制御部９は、第２読取部１９が画像を読み取れないと判定した場合に（ステップＳ７０のＮｏ）、ステップＳ８０において、第３画面を表示するように、操作パネル８を制御する。制御部９は、第３画面を表示させた後に、ステップＳ９０において、第２読取部１９の結露除去作業を開始するように、画像読み込み装置１０を制御する。制御部９は、結露発生判別処理をステップＳ１０に戻す。
【００５９】
制御部９は、第２読取部１９が画像を読み取れると判定した場合に（ステップＳ７０のＹｅｓ）、図４に示す結露発生判別処理を終了する。なお、制御部９は、第２読取部１９が画像を読み取れると判定した後に（ステップＳ７０のＹｅｓ）、操作パネル８に各画面が表示されている場合には、各画面の表示を停止するように操作パネル８を制御する。また、制御部９は、各画面の表示を停止した後に、第１読取部１２及び第２読取部１９の結露が解消したことを報知するように、操作パネル８を制御する。
【００６０】
以上、図１から図４を参照して、本発明の実施形態に係る画像形成装置１、及び画像読み込み装置１０について説明した。但し、本発明は、上記の実施形態に限られるものではなく、その要旨を逸脱しない範囲で種々の態様において実施することが可能である。
【００６１】
例えば、本発明の実施形態では、本発明を画像形成装置１に適用したが、本発明はこれに限定されない。本発明は、操作パネルと制御部とを備える画像読み込み装置にも適用され得る。
【００６２】
また、本発明の実施形態では、ＬＥＤ１２ｃが光を出射することにより第１読取部１２の結露が解消され、ＬＥＤ１９ｃが光を出射することにより第２読取部１９の結露が解消されたが、本発明はこれに限定されない。画像読み込み装置１０は、第１読取部１２及び第２読取部１９の結露を解消する構成を備えればよい。例えば、画像読み込み装置１０は、第１読取部１２及び第２読取部１９に温風を供給し得るヒーターを更に備えてもよい。ヒーターは、第１読取部１２及び第２読取部１９に温風を供給することによって、第１読取部１２及び第２読取部１９の結露を解消する。
【００６３】
また、本発明の実施形態では、第１読取部１２及び第２読取部１９が画像を読み取れると判定すると、結露発生判別処理を終了していたが、本発明はこれに限定されない。制御部９は、第１読取部１２に結露が発生していないことを参照し、例えば、第１読取部１２の受光量が閾値未満であると判定した場合に、第１読取部１２に不具合が生じていることを報知するように、操作パネル８を制御してもよい。第１読取部１２の受光量は、例えば、第１読取部１２の白基準を調整する際に検出される。なお、制御部９は、第１読取部１２と同様に、第２読取部１９に結露が発生していないことを参照し、例えば、第２読取部１９の受光量が閾値未満であると判定した場合に、第２読取部１９に不具合が生じていることを報知するように、操作パネル８を制御してもよい。
【００６４】
また、本発明の実施形態では、画像形成装置１が電源ＯＦＦ状態から電源ＯＮ状態に遷移する際に、制御部９による結露発生判別処理が開始されたが、本発明はこれに限定されない。制御部９は、例えばユーザーの利便性を損なわない程度に、結露発生判別処理を実行すればよい。制御部９は、例えば、予め設定された時間毎に、結露発生判別処理を実行してもよい。
【００６５】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００６６】
本発明は、画像読み込み装置、及び画像形成装置に関するものであり、画像読み込み装置で生じる結露の解消と、結露時のユーザーの利便性の向上に有用である。
【符号の説明】
【００６７】
１        画像形成装置
４        画像形成部
９        制御部
１０      画像読み込み装置
１０ａ    原稿読取部
１０ｂ    原稿搬送部
１２      第１読取部
１９      第２読取部
Ｒ        原稿
【図１】
2018182680.tif 000003
【図２】
2018182680.tif 000004
【図３】
2018182680.tif 000005
【図４】
2018182680.tif 000006